(57)【特許請求の範囲】
【請求項１】
医療用ガス接続口や電源コンセントを設けた本体を平面をなす病室の壁面から突出するように前記壁面に縦方向に配置し、前記本体の上端部を天井に設けた空調リターンダクトに接続するとともに、下部に空調リターン吸込口を設け、本体内部を通して空調リターンエアを屋外に排出可能とし、前記本体の下端部が床面から離隔した医療用コンソールであって、前記空調リターン吸込口を前記本体の前記下端部の前記床面に向く下面に設け、前記本体の前記下端部と前記床面との間隔を、前記空調リターン吸込口の開口奥行寸法と略同等の寸法に設定した医療用コンソール。
【請求項２】
前記本体の前記壁面側に空気の流路を備えた請求項１記載の医療用コンソール。
【発明の詳細な説明】
【０００１】
【発明の属する技術分野】
この発明は、病室に設置され無駄の少ない空調を行うことができる医療用コンソールに関するものである。
【０００２】
【従来の技術】
従来より医療用ガス接続口や電源コンセントを備えた縦型の医療用コンソールは存在するが、それ以外の機能を持ち合わせていない。一方、室内の空調排気は別に設置した空調機により行われている。
【０００３】
【発明が解決しようとする課題】
上記のように従来の医療用コンソールは空調リターン機能を組み込んでいなかったので、室内の空調排気をすることができなかった。
【０００４】
また、空調機を使用して空調を行う際、天井吹出しで、吸込み（リターン）も天井にした場合、吹出した空気全てが下の室内空間に行き渡らず、ショートカットして直接吸込まれてしまう可能性がある。
【０００５】
したがって、この発明の目的は、上記問題点を解決するもので、コンソール、空調リターン一体型で、空調効率の向上を図る医療用コンソールを提供することである。
【０００６】
【課題を解決するための手段】
上記目的を達成するためにこの発明の請求項１記載の医療用コンソールは、医療用ガス接続口や電源コンセントを設けた本体を平面をなす病室の壁面から突出するように前記壁面に縦方向に配置し、前記本体の上端部を天井に設けた空調リターンダクトに接続するとともに、下部に空調リターン吸込口を設け、本体内部を通して空調リターンエアを屋外に排出可能とし、前記本体の下端部が床面から離隔した医療用コンソールであって、前記空調リターン吸込口を前記本体の前記下端部の前記床面に向く下面に設け、前記本体の前記下端部と前記床面との間隔を、前記空調リターン吸込口の開口奥行寸法と略同等の寸法に設定したものである。
【０００７】
このように、医療用ガス接続口や電源コンセントを設けた本体を壁面に縦方向に配置し、本体の上端部を天井に設けた空調リターンダクトに接続するとともに、下部に空調リターン吸込口を設け、本体内部を通して空調リターンエアを屋外に排出可能としたので、コンソールに空調リターン機能を組込み、室内の空調排気をすることができる。また、空調リターン吸込口を下側に設けることで下側吸い込みによる空調効率の向上を図ることができる。すなわち、建築側天井にリターングリルを別に付けた場合に比べ、吹出した空気が下の室内空間に行き渡り、天井で吸込みをしていた場合にあった、ショートカットして直接吸込まれる空調のロスをなくすことができる。
また本体の下端部が床面から離隔して設けられて、本体を床面から浮かせることにより、床まであった場合に比べ、本体と壁の入り隅のほこり溜まりがなくなり、床面の掃除が行い易くなり、病室を衛生的にすることができる。
さらに本体の下端部に床面に臨む空調リターン吸込口を設けて、開口部を床面に向く方向にすることで、人の視線に対し空調リターン吸込口が見えなくなり、本体意匠が空調リターン開口を意識しないように見せることができる。また、本体の下端部と床面との間隔を、空調リターン吸込口の開口奥行寸法と略同等の寸法に設定したので、空調リターン吸込口より室内の空気を吸い込む空間を確保することができる。
【０００８】
請求項２記載の医療用コンソールは、請求項１記載の医療用コンソールにおいて、本体の壁側に空気の流路を備えた。このように、本体の壁側に空気の流路を備えたので、コンソール前面、側面の医療用機器（ガス、コンセント）を避けて本体断面内に空調リターン用スペースを確保することができる。
【００１１】
【発明の実施の形態】
この発明の第１の実施の形態を図１ないし図７に基づいて説明する。図１はこの発明の第１の実施の形態の医療用コンソールの正面図、図２はその平面図、図３は図２のＡ方向矢視図、図４は図１の拡大断面図である。
【００１２】
図２に示すように、この医療用コンソール１は、医療用ガス接続口や電源コンセントを備え、病室の隣り合うベッド４，４の間の壁面３に設けられる。５は処置用カーテンである。
【００１３】
また、図１〜３に示すように、医療用ガス接続口や電源コンセントを設けた本体２を壁面３に縦方向に配置し、本体２の上端部を天井に設けた空調リターンダクト７に接続するとともに、下部に空調リターン吸込口８を設け、本体２内部を通して空調リターンエアを屋外に排出可能とした。
【００１４】
この場合、図４に示すように、コンソール１が正面の医療用スペース１ａと両側面の患者用スペース１ｂに分割され、医療用ガス接続口（酸素、吸引）９、電源コンセント１０、小物入れ１１、作業用可動棚１２等を本体２に設けている。図４において、左側は電源コンセント１０の位置の断面、右側は可動棚１２の位置の断面を示す。
【００１５】
本体２は、中央部分の仕切り板１３と側面部分の仕切り板１４，１４とからなる。側面部分の仕切り板１４は断面略三角形であり、その一面を壁面３に当接させてボルト２３で固定する。また、側面部分の仕切り板１４の対向する他の一面と中央部分の仕切り板１３とで遮断されて器具奥側（壁面側）に空調用通気口となるダクトスペース１５が形成される。
【００１６】
また、中央部分の仕切り板１３は側面部分の仕切り板１４の室内側の頂部より奥側に配置して、カーテン５の飲み込み用落とし込み２１が形成される。側面部分の仕切り板１４の室内側の頂部には木製の前面保護材１６が設けられる。前面保護材１６は、図３および図５に示すように、上部途中まで延設され、コンソール分割位置Ｂで２分割される。また、分割された連結部に目地を有し、一体型で現地取り付けとする。
【００１７】
図６（ａ）はこの発明の実施の形態のコンソールの可動棚の正面図、（ｂ）はその断面図である。図６に示すように、可動棚１２は木製で耐荷重１ｋｇまでの強度を有し、本体２の中央部分の仕切り板１３に回動固定自在に設けられる。すなわち、ロック機構付き固定アーム１７を有し、可動棚１２を９０度でロックし固定する。収納時は一度持ち上げてロック解除し、仕切り板１３の奥側に形成された凹部１８に収納する。
【００１８】
図７（ａ）はこの発明の実施の形態のコンソールの小物入れの正面図、（ｂ）はその断面図である。図７に示すように、小物入れ１１はワイヤレス発信機等を入れることができるように凹形に形成され、本体２の側面部分の仕切り板１４の室内側に臨む傾斜面に設けられる。
【００１９】
また、図１および図３に示すように、コンソール１の上部を天井面２２に密着し、本体２を床面２０から離れた（浮かせた）構造とし、コンソール１下部に空調用開口を開け空調リターン吸込口８とする。空調リターン吸込口８は本体２下端部に床面に臨む側に設ける。床面からコンソール１下端の空調リターン吸込口８までの距離は、空調リターン吸込口８の断面寸法の開口奥行寸法と同等以上を確保するものとする。
【００２０】
コンソール１内部には上記のようにリターンの空気吸込み用スペースを用意して空調リターンを可能とする。コンソール１下端にはフィルタを設ける。本体２の断面形状については、四角形の柱状等でも可能である。
【００２１】
以上のようにこの実施の形態によれば、空調リターン機能をコンソール１に組み込むことで、建築側天井にリターングリルを別に付けた場合に比べ、吹出した空気が下の室内空間に行き渡り、天井で吸込みをしていた場合にあった、ショートカットして直接吸込まれる空調のロスをなくすことができる。また、従来は単独で設置されていたリターン開口が、コンソール１と一体になることで天井面に出なくなり、室内天井の美観を損なうことがない。
【００２２】
また、コンソール１前面、側面の医療用機器（ガス、コンセント）を避けて空調通気口を奥側（壁面側）に配置することで、本体２断面内に空調リターン用スペースを確保することができる。また、本体２を床面から浮かせることにより、床まであった場合に比べ、本体２と壁の入り隅のほこり溜まりがなくなり、床面２０の掃除が行い易くなり、病室を衛生的にすることができる。また、開口部を床面２０に臨む方向にすることで、人の視線に対し空調リターン吸込口８が見えなくなり、本体意匠が空調リターン吸込口８を意識しないように見せることができる。
【００２３】
この発明の第２の実施の形態を図８に基づいて説明する。図８はこの発明の第２の実施の形態の医療用コンソールの正面図である。
【００２４】
図８に示すように、第１の実施の形態において、本体２は床面２０まで続いた形で下部正面または側面にスリットを開ける。この場合、本体２の下部正面に空調リターン用吸込口８を設けている。その他の構成は、第１の実施の形態と同様である。
【００２５】
【発明の効果】
この発明の請求項１記載の医療用コンソールによれば、医療用ガス接続口や電源コンセントを設けた本体を壁面に縦方向に配置し、本体の上端部を天井に設けた空調リターンダクトに接続するとともに、下部に空調リターン吸込口を設け、本体内部を通して空調リターンエアを屋外に排出可能としたので、コンソールに空調リターン機能を組込み、室内の空調排気をすることができる。また、空調リターン吸込口を下側に設けることで下側吸い込みによる空調効率の向上を図ることができる。すなわち、建築側天井にリターングリルを別に付けた場合に比べ、吹出した空気が下の室内空間に行き渡り、天井で吸込みをしていた場合にあった、ショートカットして直接吸込まれる空調のロスをなくすことができる。
【００２６】
また、従来は単独で設置されていたリターン開口が、コンソールと一体になることで天井面に出なくなり、室内天井の美観を損なうことがない。
さらに本体の下端部が床面から離隔して設けられて、本体を床面から浮かせることにより、床まであった場合に比べ、本体と壁の入り隅のほこり溜まりがなくなり、床面の掃除が行い易くなり、病室を衛生的にすることができる。
また、本体の下端部に床面に臨む空調リターン吸込口を設けて、開口部を床面に向く方向にすることで、人の視線に対し空調リターン吸込口が見えなくなり、本体意匠が空調リターン開口を意識しないように見せることができる。また、本体の下端部と床面との間隔を、空調リターン吸込口の開口奥行寸法と略同等の寸法に設定したので、空調リターン吸込口より室内の空気を吸い込む空間を確保することができる。
【００２７】
請求項２では、本体の壁側に空気の流路を備えたので、コンソール前面、側面の医療用機器（ガス、コンセント）を避けて本体断面内に空調リターン用スペースを確保することができる。
【図面の簡単な説明】
【図１】この発明の第１の実施の形態の医療用コンソールの正面図である。
【図２】図１の平面図である。
【図３】図２のＡ方向矢視図である。
【図４】図１の拡大断面図である。
【図５】前面保護材の側面図である。
【図６】（ａ）はこの発明の実施の形態のコンソールの可動棚の正面図、（ｂ）はその断面図である。
【図７】（ａ）はこの発明の実施の形態のコンソールの小物入れの正面図、（ｂ）はその断面図である。
【図８】この発明の第２の実施の形態の医療用コンソールの正面図である。
【符号の説明】
１  医療用コンソール
２  本体
３  壁面
７  空調リターンダクト
８  空調リターン吸込口
９  医療用ガス接続口
１０  電源コンセント
２０  床面
【図１】
0004165056.tif 000002
【図２】
0004165056.tif 000003
【図３】
0004165056.tif 000004
【図４】
0004165056.tif 000005
【図５】
0004165056.tif 000006
【図６】
0004165056.tif 000007
【図７】
0004165056.tif 000008
【図８】
0004165056.tif 000009